(57)【要約】      （修正有）【課題】現場での配管への電熱ヒーター及び保温材の取付け施工を著しく簡便化し、さらに、配管の長さ方向への対応が著しく容易なばかりではなく、種々の配管径及び配管長に対応可能である配管用保温材を提供する。【解決手段】シート状部材１と、シート状部材の内表面に設けられた断熱部材２とを備えた長尺状の配管用保温材Ａであって、断熱部材の配管側表面に、配管用保温材の長さ方向に電熱ヒーターを挿通し得る複数のベルト通し様部分３を備えていることを特徴とする。【選択図】図１
0003182793.tif 000002
【実用新案登録請求の範囲】
【請求項１】
シート状部材と、該シート状部材の内表面に設けられた断熱部材とを備えた長尺状の配管用保温材であって、該断熱部材の配管側表面に、該配管用保温材の長さ方向に電熱ヒーターを挿通し得る複数のベルト通し様部分を備えていることを特徴とする配管用保温材。
【請求項２】
複数のベルト通し様部分が、断熱部材の配管側表面に略等間隔で備えられている、請求項１記載の配管用保温材。
【請求項３】
断熱部材が、配管用保温材をその長さ方向に切断し得るように等間隔で分割されている、請求項１又は２記載の配管用保温材。
【請求項４】
電熱ヒーターがテープ状である、請求項１〜３のいずれか一つに記載の配管用保温材。
【請求項５】
シート状部材の外表面に、表裏面の一方にループ面を他方にフック面を備えた面ファスナーが備えられており、該面ファスナーにより、配管用保温材を配管に巻きつけて取り付けることができ、かつ、複数の配管用保温材を、配管用保温材の幅方向に接続することができる、請求項１〜４のいずれか一つに記載の配管用保温材。
【請求項６】
シート状部材の内表面であって、かつ、断熱部材の長さ方向の端部に面ファスナーが備えられており、該面ファスナーと、該シート状部材の表面に備えられている上記面ファスナーとにより、複数の配管用保温材を、配管用保温材の長さ方向に接続することができる、請求項５記載の配管用保温材。
【考案の詳細な説明】
【技術分野】
【０００１】
本考案は、配管用保温材に関し、更に詳しくは、電熱ヒーター、好ましくはテープ状の電熱ヒーターと一体化させることができて、現場での配管への電熱ヒーター及び保温材の取付け施工を簡便化し得る配管用保温材に関する。
【背景技術】
【０００２】
従来、配管を電気で加熱又は保温するために、テープ状ヒーター、例えば、テープヒーター、リボンヒーター、ベルトヒーター等と称呼されているもの、又は、マントルヒーター若しくはジャケットヒーター等が使用されていた。そして、これらは、配管及びその付属物、例えば、継手、バルブ、ステー等に合わせて高度で精密な形態で作製されていた。しかし、半導体製造装置等における配管は、通常、狭い空間に複雑に入り込んだ配管であり、正確な配管図面が存在しない場合が多い。このために、設計者が現場に赴いて複雑な配管をスケッチして、詳細な採寸を行わなければならない。特に、配管の途中にある継手、バルブ等の位置を正確に採寸すると共に、ステー等の障害物についても入念に採寸する必要がある。この結果、電熱ヒーターの設計段階で多大な費用が発生することになる。
【０００３】
上記の問題を解決するために、シート状の基材、該基材の表面又はその近傍に配列されたヒーター線、及びこれらを収納するヒーターカバーを備える加熱部と、断熱材及びこれを収納する断熱材カバーを備える保温部とを有する電熱ヒーターにおいて、前記加熱部が、切り込み可能な切込部を備えていることを特徴とする電熱ヒーター（特許文献１）、及び、配管を加熱するために使用するテープ状の電熱ヒーターであって、幅方向にヒーター線を含む加熱帯とヒーター線を含まない非加熱帯とに区分され、前記非加熱帯が、切り込み可能であることを特徴とする電熱ヒーター（特許文献２）が提案されている。これらの発明によれば、電熱ヒーターを標準化することができることから、製造工程を簡略化できてコスト低減を図ることができる。
【０００４】
一方、半導体製造装置等における配管は、狭い空間に複雑に入り込んでいることから、依然として、従来のテープ状ヒーターを使用しなければならないこともある。テープ状ヒーターの取付け作業は、ヒーターを巻き付けるスペースが十分に確保できないことから非常に煩雑になる。そして、テープ状ヒーターを配管に巻き付けても、又は、配管に添わせても、ヒーターの合わせ目に隙間が生じて、熱ロスが生じたり、あるいは、いわゆる空焼きが生ずることもある。これを解消するためには保温材を取り付ける必要があるが、狭い空間であることから、その作業はヒーター取り付け作業に比べてより一層煩雑になる。従って、実際の現場では、保温材を取り付けることなく、テープ状ヒーターを配管に巻き付けたまま、又は、配管に添わせたままで操業を継続している場合も数多く見受けられる。これでは、折角、加熱しても莫大なエネルギーロスのために、配管の加熱を均一にすることが容易ではなく、何よりも無駄な電力を多大に消費することになり製品のコスト高を招いてしまう。しかし、テープ状ヒーターを配管に取り付けるための簡単な固定ツールなく、また、十分に保温しようとすれば多大な労力と時間を要することとなる。
【先行技術文献】
【特許文献】
【０００５】
【特許文献１】特開２００９−１９９９６７号公報
【特許文献２】特開２００９−２７０６６１号公報
【考案の概要】
【考案が解決しようとする課題】
【０００６】
本考案は、電熱ヒーター、好ましくはテープ状の電熱ヒーターと一体化させることができることから、現場での配管への電熱ヒーター及び保温材の取付け施工を著しく簡便化し得る配管用保温材を提供するものである。好ましくは、配管用保温材を所定の位置で切断し得ることから、配管の長さ方向への対応が著しく容易なばかりではなく、種々の配管径及び配管長に対応可能である配管用保温材を提供することができる。
【課題を解決するための手段】
【０００７】
本考案者は、上記の課題を解決するために種々の検討を行った。その結果、シート状部材と断熱部材とを備えた所定の配管用保温材において、配管に取り付けた際に配管に近接する側の断熱部材の面に、電熱ヒーター、好ましくは、テープ状の電熱ヒーターを挿通し得る複数のベルト通し様部分を、好ましくは、所定の間隔で設けておけば、現場での配管への電熱ヒーター及び保温材の取付け施工を著しく簡便化し得ることを見出し、本考案を完成するに至った。好ましくは、配管用保温材をその長さ方向に所定の寸法で切断し得るように断熱部材を分割しておけば、現場での配管へのヒーター及び保温材の取付け施工を著しく簡便化し得るばかりではなく、所定の位置で切断し得ることから、配管の長さ方向への断熱材及びヒーターの対応が著しく容易になり、それにより、更に、取付け施工を簡便化し得ることを見出した。更に好ましくは、配管用保温材のシート状部材の外表面、及び、シート状部材の内表面の断熱部材の端部に、夫々、所定の面ファスナーを設ければ、任意の数の配管用保温材を接続することができて、配管用保温材が、種々の配管径に対応可能となり、加えて、配管長に対してもより一層対応が容易になることを見出したのである。
【０００８】
即ち、本考案は、
（１）シート状部材と、該シート状部材の内表面に設けられた断熱部材とを備えた長尺状の配管用保温材であって、該断熱部材の配管側表面に、該配管用保温材の長さ方向に電熱ヒーターを挿通し得る複数のベルト通し様部分を備えていることを特徴とする配管用保温材である。
【０００９】
好ましい態様として、
（２）複数のベルト通し様部分が、断熱部材の配管側表面に略等間隔で備えられている、上記（１）記載の配管用保温材、
（３）複数のベルト通し様部分が、断熱部材の配管側表面に６５〜７５ｍｍの間隔で備えられており、ここで、各ベルト通し様部分の間隔は、各ベルト通し様部分の、配管用保温材の長さ方向の寸法の中心から中心までの寸法である、上記（１）又は（２）記載の配管用保温材、
（４）複数のベルト通し様部分が、断熱部材の配管側表面に略７０ｍｍ間隔で備えられており、ここで、各ベルト通し様部分の間隔は、各ベルト通し様部分の、配管用保温材の長さ方向の寸法の中心から中心までの寸法である、上記（１）又は（２）記載の配管用保温材、
（５）断熱部材が、配管用保温材をその長さ方向に切断し得るように等間隔で分割されている、上記（１）〜（４）のいずれか一つに記載の配管用保温材、
（６）断熱部材が、配管用保温材をその長さ方向に切断し得るように略１００mm間隔で分割されている、上記（１）〜（４）のいずれか一つに記載の配管用保温材、
（７）断熱部材が、配管用保温材をその長さ方向に略１：２の寸法で切断し得るように分割されている、上記（１）〜（４）のいずれか一つに記載の配管用保温材、
（８）シート状部材の寸法が、長さ２００〜５００ｍｍ及び幅７０〜８０ｍｍである、上記（１）〜（７）のいずれか一つに記載の配管用保温材、
（９）シート状部材の寸法が、長さ２９０〜３１０ｍｍ及び幅７０〜８０ｍｍである、上記（１）〜（７）のいずれか一つに記載の配管用保温材、
（１０）シート状部材の寸法が、長さ略３００ｍｍ及び幅略７５ｍｍである、上記（１）〜（７）のいずれか一つに記載の配管用保温材、
（１１）断熱部材の寸法が、長さ２００〜５００ｍｍ及び幅３５〜４５ｍｍである、上記（１）〜（１０）のいずれか一つに記載の配管用保温材、
（１２）断熱部材の寸法が、長さ２９０〜３１０ｍｍ及び幅３５〜４５ｍｍである、上記（１）〜（１０）のいずれか一つに記載の配管用保温材、
（１３）断熱部材の寸法が、長さ略３００ｍｍ及び幅略４０ｍｍである、上記（１）〜（１０）のいずれか一つに記載の配管用保温材、
（１４）電熱ヒーターがテープ状である、上記（１）〜（１３）のいずれか一つに記載の配管用保温材、
（１５）シート状部材の外表面に、表裏面の一方にループ面を他方にフック面を備えた面ファスナーが備えられており、該面ファスナーにより、配管用保温材を配管に巻きつけて取り付けることができ、かつ、複数の配管用保温材を、配管用保温材の幅方向に接続することができる、上記（１）〜（１４）のいずれか一つに記載の配管用保温材、
（１６）上記面ファスナーが、各ベルト通し様部分に対応する位置のシート状部材の外表面に複数備えられている、上記（１５）記載の配管用保温材、
（１７）シート状部材の内表面であって、かつ、断熱部材の長さ方向の端部に面ファスナーが備えられており、該面ファスナーと、該シート状部材の表面に備えられている上記面ファスナーとにより、複数の配管用保温材を、配管用保温材の長さ方向に接続することができる、上記（１６）記載の配管用保温材
を挙げることができる。
【考案の効果】
【００１０】
本考案の配管用保温材は、断熱部材の配管側の面に、電熱ヒーター、好ましくは、テープ状の電熱ヒーターを挿通し得る複数のベルト通し様部分が、好ましくは、所定の間隔で設けられていることから、現場での配管への電熱ヒーター及び保温材の取付け施工を著しく簡便化し得る。好ましくは、配管用保温材をその長さ方向に所定の寸法で切断し得るように断熱部材が分割されていることから、配管の長さ方向への断熱材及びヒーターの対応が著しく容易であり、それにより、更に、取付け施工を簡便化することができる。更に好ましくは、シート状部材の外表面、及び、シート状部材の内表面の断熱部材の端部に、夫々、所定の面ファスナーが設けられているので、任意の数の配管用保温材を接続することができ、それにより、配管用保温材が、種々の配管径に対応可能となり、加えて、配管長に対してもより一層対応を容易にすることができる。
【図面の簡単な説明】
【００１１】
【図１】図１は、本考案の配管用保温材の一実施態様の内面（配管側面）、外面及び側面を示した概略図である。（実施例１）
【図２】図２は、本考案の配管用保温材の一実施態様の内面（配管側面）を示した概略図である。（実施例２）
【考案を実施するための形態】
【００１２】
本考案の配管用保温材は、長尺状、好ましくは長方形であり、シート状部材及び断熱部材、並びに、複数のベルト通し様部分を備える。断熱部材は、シート状部材の内表面、即ち、配管用保温材を配管に取り付けた際に、配管に近接する側の表面に設けられている。好ましくは、断熱部材は、シート状部材の内表面に、断熱部材の長さ方向の一辺がシート状部材の長さ方向の一辺と略一致するように両者を沿わせて設けられている。ここで、断熱部材は、配管の熱が雰囲気中に放散するのを防止し、シート状部材は、該断熱部材のカバーとしての役割を果たしている。断熱部材としては、一般的に使用されているガラス繊維を素材とするフェルト状断熱材を用いることができる。また、クリーンルーム等では、発塵性の低い芳香族ナイロン繊維を素材とするフェルト状断熱材を用いることもできる。配管温度が１５０〜２５０℃程度の中高温用の配管用保温材のために、断熱部材としては、上記のガラス繊維を素材とするフェルト状断熱材を使用することが好ましい。該断熱部材は、無機材料の繊維からなる布、例えば、ガラス繊維又はシリカ繊維からなる布、フッ素樹脂、例えば、テフロン（登録商標）からなる布又はシート、フィルムで覆われていることが好ましい。ここで、配管温度が１５０〜２５０℃程度の中高温用の配管用保温材のために、該布としては、ガラス繊維からなる布を使用し、それ以上の温度では、耐熱性の関係からシリカ繊維からなる布を使用することが好ましい。また、低温やクリーンルームでは、フッ素樹脂からなる布又はシート、フィルムを使用することもできる。一方、シート状部材としては、発塵性の低いフッ素樹脂、例えば、テフロン（登録商標）、芳香族ナイロン又はＰＢＯ繊維から作られたシート又はフィルムを用いることが好ましい。
【００１３】
本考案の配管用保温材には、複数のベルト通し様部分が、断熱部材の配管側表面、即ち、配管用保温材を配管に取り付けた際、配管に近接する側の断熱部材表面に備えられている。断熱部材が、上記のように無機材料の繊維からなる布で覆われている態様では、複数のベルト通し様部分は該布に取り付けられている。該ベルト通し様部分には、電熱ヒーター、好ましくは、テープ状の電熱ヒーターが、配管用保温材の長さ方向に挿通され得る。これにより、配管用保温材と電熱ヒーターとを同時かつ簡便に配管に取り付けることができる。ここで、テープ状の電熱ヒーターは、いわゆるテープヒーター、リボンヒーター、ベルトヒーター等と称呼される電熱ヒーター群から選ぶことができる。該ベルト通し様部分の形状に特に制限はないが、通常のズボン用のベルト通しと同様に、断熱部材の幅方向に縦長の長方形であることが好ましい。例えば、断熱部材の幅方向の長さと略同一の長さで、断熱部材の長さ方向に任意の長さであり、断熱部材とベルト通し様部分とでトンネル様に形成されたものが使用される。これらのうち、ベルト通し様部分の、断熱部材の長さ方向の長さが、２０〜３０ｍｍ程度のものが電熱ヒーターの挿通が容易で作業性が良いことから好ましく使用される。該ベルト通し様部分は、複数個備えられており、好ましくは、断熱部材の配管側表面に略等間隔で備えられている。ベルト通し様部分の個数及びそれらの間隔は、通常、配管用保温材の長さに依存して決定される。配管用保温材の長さが、２９０〜３１０ｍｍ程度であるときには、ベルト通し様部分の個数は５個であることが好ましく、かつ、各ベルト通し様部分の間隔は、６５〜７５ｍｍ程度であることが好ましい。ここで、各ベルト通し様部分の間隔は、各ベルト通し様部分の、配管用保温材、即ち、断熱部材の長さ方向の寸法の中心から中心までの寸法である。複数のベルト通し様部分の材質は、断熱部材と同じであることが好ましい。
【００１４】
本考案の配管用保温材に備えられている断熱部材は、該配管用保温材をその長さ方向に等間隔、好ましくは５０〜１５０ｍｍ、更に好ましくは略１００ｍｍ間隔で切断し得るように分割されている。また、別の態様では、該配管用保温材をその長さ方向に略１：２の寸法で切断し得るように分割されていることが好ましい。即ち、配管用保温材のシート状部材のみを切断すれば、配管用保温材を上記所定の寸法に分割することができるようになっている。該切断は、例えば、はさみ、カッター等を使用して実行することにより容易に実施することができる。分割された二つの断熱部材の間隔、即ち、分割部（切断箇所）の間隔は、好ましくは１〜７ｍｍである。上記下限未満では、切断が容易ではなく、切断の際に断熱部材をも破損するおそれがあり、上記上限を超えては、断熱部材により保温効果が悪くなるおそれがある。切断箇所の間隔は、通常、５ｍｍ程度に設定されている。
【００１５】
シート状部材の寸法及び断熱部材の寸法は、意図される配管用保温材の寸法に依存して決定される。シート状部材の寸法に関して、その長さは、好ましくは２９０〜３１０ｍｍ程度であり、幅は７０〜８０ｍｍ程度である。また、断熱部材の寸法に関して、その長さは、好ましくは２９０〜３１０ｍｍ程度であり、幅は３５〜４５ｍｍ程度であり、厚さは３〜８ｍｍ程度であり、径の大きい配管のためには、その幅のみを９５ｍｍ〜１０５ｍｍ程度とすることが好ましい。最も好ましい態様としては、配管用保温材の長さが略３００ｍｍであり、これに依存して、シート状部材の寸法が、長さ略３００ｍｍ及び幅略７５ｍｍであり、断熱部材の寸法が、長さ略３００ｍｍ、幅略４０ｍｍ（径の大きい配管のためには、幅略１００ｍｍ）及び厚さ略５ｍｍであり、かつ、ベルト通し様部分が５個備えられており、各ベルト通し様部分の、配管用保温材の長さ方向の寸法が略２５ｍｍであり、各ベルト通し様部分の間隔が略７０ｍである。
【００１６】
本考案の配管用保温材を配管に取り付ける手段に特に制限はない。例えば、マジックテープ（登録商標）、ベルクロ（登録商標）等の面ファスナーで取り付ける方法、又は、紐等で結んで取り付ける方法等が挙げられる。ここで、面ファスナーは、表裏面の一方の面がループ状であり、他方の面がフック状であるものが好ましく、ループ状の面とフック状の面とにより結合し得るものである。面ファスナー及び紐等の材質は、配管用保温材を使用する配管温度に依存して適宜決定される。通常、ポリプロピレン／ポリエステル製であり、半導体装置等において好ましく使用され得る。本考案の配管用保温材においては、好ましくは、シート状部材の外表面に面ファスナーが、好ましくはシート状部材の幅方向の全長に亘って備えられていて、該面ファスナーにより、配管用保温材を配管に巻き付けて取り付けることができる。また、別々の配管用保温材に備えられている面ファスナー同士を結合することにより、複数の配管用保温材を、配管用保温材の幅方向に接続することができて、配管用保温材の幅を実質的に大きくすることができる。これにより、細い配管からより太い配管までの保温に容易に対応することができる。該面ファスナーは、各ベルト通し様部分に対応する位置のシート状部材の外表面に複数個備えられていることが好ましい。
【００１７】
本考案の配管用保温材は、好ましくは、シート状部材の内表面であって、かつ、断熱部材の長さ方向の端部に面ファスナーが備えられている。該面ファスナーと、別の配管用保温材のシート状部材の外表面に備えられている面ファスナーとを接続することにより、複数の配管用保温材を、配管用保温材の長さ方向に接続することができる。
【００１８】
以下の実施例において、本考案の好ましい実施態様を説明するが、本考案はこの実施例により限定されるものではない。
【実施例】
【００１９】
（実施例１）
図１には、本考案の配管用保温材（Ａ）の一実施態様を示した。図１の（ａ）は、その内面（配管に取り付けた際に配管に近接する側の面）の概略図であり、図１の（ｂ）は、その外面の概略図であり、図１の（ｃ）は、その側面の概略図である。本実施態様において、シート状部材（１）は、フッ素樹脂のシートから成り、その寸法は、長さ（ｌ１）略３０５ｍｍ、幅（ｗ１）略７５ｍｍである。そして、断熱部材（２）が、該シート状部材（１）の内表面（配管に取り付けた際に配管に近接する側の面）に、該断熱部材（２）の長さ方向の一辺が該シート状部材（１）の長さ方向の一辺と略一致するように両者を沿わせて設けられている。該断熱部材（２）は、ガラス繊維からつくられたフェルト状断熱材であり、その寸法は、長さ［ｌ２＝ｌ２（１）＋ｌ２（２））］略３００ｍｍ、幅（ｗ２）略４０ｍｍ、厚さ（ｔ）略５ｍｍである。該断熱部材（２）は、ガラス繊維からなる布で覆われており、その周囲をガラス繊維の糸でシート状部材（１）に縫い付けられて固定されている。また、該断熱部材（２）は、配管用保温材（Ａ）をその長さ方向に略１：２の寸法で切断し得るように、その長さ方向に垂直に分割部（４）を備えている。該分割部（４）の間隔（ｌ４）は略５ｍｍである。分割部（４）は、シート状部材（１）のみから形成されており、断熱部材（２）は、該分割部（４）を隔てて、左右２つの部分に分割されている。
【００２０】
そして、該断熱部材（２）の内表面、即ち、配管に取り付けた際に配管に近接する側の面に、ベルト通し様部分（３）が５個備えられている。各ベルト通し様部分（３）の幅（ｗ３）、即ち、断熱部材（２）の長さ方向に対して垂直な方向の寸法は、断熱部材（２）の幅（ｗ２）と略同一、即ち、略４０ｍｍであり、かつ、各ベルト通し様部分（３）の長さ（ｌ３）、即ち、断熱部材（２）の長さ（ｌ２）方向の寸法は、略２５ｍｍである。また、各ベルト通し様部分（３）の間隔（ｌ３−３）、即ち、各ベルト通し様部分（３）の長さ（ｌ３）の中心から中心までの距離は、夫々、略７０ｍｍである。各ベルト通し様部分（３）は、その長さ方向の両端辺を、断熱部材（２）の長さ方向の両端辺近傍にガラス繊維の糸で縫い付けることにより固定されて、断熱部材（２）の幅方向の全長に亘って、断熱部材（２）とベルト通し様部分（３）とでトンネル様部分を形成するようにして備えられている。このようにして形成された、断熱部材（２）と各ベルト通し様部分（３）との間、即ち、上記のトンネル様部分に電熱ヒーター、例えば、テープ状の電熱ヒーターを、配管用保温材（Ａ）の長さ方向に挿通することができる。
【００２１】
配管用保温材（Ａ）には、シート状部材（１）の外表面の、ベルト通し様部分（３）に対応する夫々の位置に、合計５個のポリプロピレン／ポリエステル製面ファスナー（５）［住友スリーエム株式会社製ワンタッチベルト（商標）］が備えられている。各面ファスナー（５）は略長方形であり、その幅（ｌ５）、即ち、断熱部材（２）の長さ方向の寸法は、夫々、略１３ｍｍであり、かつ、各面ファスナー（５）の長さ（Ｗ５）、即ち、断熱部材（２）の長さ方向に対して垂直な方向の寸法は、夫々、略９０ｍｍである。各面ファスナー（５）は、面ファスナー（５）の幅（ｌ５）方向の一方の端辺が、シート状部材（１）の長さ方向であって断熱部材（２）を備える側の端辺近傍に一致するようにし、かつ、面ファスナー（５）が断熱部材（２）の長さ方向に略垂直になるように取付けられている。そして、各面ファスナー（５）は、断熱部材（２）の長さ方向の上記端辺から、断熱部材（２）の幅方向の全長に亘って、即ち、各面ファスナー（５）の長さ（Ｗ５）のうちの略４０ｍｍの部分が、その周囲をガラス繊維の糸でシート状部材（１）に縫い付けられて固定されている。各面ファスナー（５）は、その内面、即ち、配管側の面がフック状であり、その外面がループ状となっていて、配管に巻き付けた際に、これらを結合することにより、配管用保温材（Ａ）を配管に取り付けることができる。また、配管用保温材（Ａ）に備えられた面ファスナー（５）と、他の配管用保温材（Ａ’）に備えられた面ファスナー（５’）とを結合すれば、配管用保温材（Ａ）の幅方向の寸法を増大させることができる。これにより、種々の径の配管に配管用保温材（Ａ）を適合させて取り付けることができる。また、配管用保温材（Ａ）を配管に取り付ける際、配管に曲がり、枝管、又は、付属物、例えば、継手、バルブ、ステー等がある場合には、配管用保温材（Ａ）のシート状部材（１）の部分のみに切り込みを入れることができることから、これらの障害を容易に回避することができる。
【００２２】
（実施例２）
図２には、本考案の配管用保温材の他の実施態様の内面（配管側面）を示した。シート状部材（１）の長さ（ｌ１）を略３３５ｍｍとして、シート状部材（１）の内面であって、かつ、断熱部材（２）の端部に、表面がフック状の面ファスナー（６）（幅：略１３ｍｍ、長さ：略４０ｍｍ）を、断熱部材（２）に略平行に備えたこと以外は、実施例１と同一にして、配管用保温材（Ａ’）を作製した。該面ファスナー（６）を、他の配管用保温材、例えば、実施例１の配管用保温材（Ａ）のシート状部材（１）の外表面に備えられた面ファスナー（５）のループ状の面と接続することにより、配管用保温材を配管の長さ方向に接続することができる。
【産業上の利用可能性】
【００２３】
本考案の配管用保温材は、現場での配管への電熱ヒーター及び保温材の取付け施工を著しく簡便化し得る故に、配管の加熱及び保温を必要とする装置、とりわけ、狭い空間に複雑に入り込んだ配管の加熱及び保温を必要とする装置、例えば、半導体装置の配管の加熱及び保温に使用されることが期待される。
【符号の説明】
【００２４】
Ａ  配管用保温材
１  シート状部材
２  断熱部材
３  ベルト通し様部分
４  分割部
５  面ファスナー
６  断熱部材（２）の端部に設けられた表面がフック状の面ファスナー
ｌ１  シート状部材（１）の長さ
ｗ１  シート状部材（１）の幅
ｌ２＝ｌ２（１）＋ｌ２（２）  断熱部材（２）の長さ
ｗ２  断熱部材（２）の幅
ｌ３  ベルト通し様部分（３）の長さ
ｗ３  ベルト通し様部分（３）の幅
ｌ３−３  各ベルト通し様部分（３）の間隔
ｌ４  分割部（４）の間隔
ｌ５  面ファスナー（５）の幅
Ｗ５  面ファスナー（５）の長さ
ｔ  断熱部材（２）の厚さ
【図１】
0003182793.tif 000003
【図２】
0003182793.tif 000004